(57)【要約】【課題】コストダウンを図りながら、ニスタンクから外されたヒータの温度が上昇することを確実に防ぐことが可能な印刷機のニス転写装置を提供する。【解決手段】印刷機のニス転写部２に供給されるニス７を貯留するニスタンク１３を備える。発熱部３１がニスタンク１３内に挿入された状態でニスタンク１３に着脱可能に取付けられたヒータ２１と、ヒータ２１に着脱式コネクタ３４を有するケーブル３５を介して給電する中継電気ボックス２９（電源供給部）とを備える。ケーブル３５は、コネクタ３４が接続されている状態において、ヒータ２１がニスタンク１３から取外されるときのヒータ２１の移動を発熱部３１がニスタンク１３内に位置している状態で規制するものである。【選択図】  図１
2016055473.tif 000002
【特許請求の範囲】
【請求項１】
印刷機のニス転写部に供給されるニスを貯留するニスタンクと、
通電されることにより発熱する発熱部を有し、この発熱部が前記ニスタンク内に挿入された状態で前記ニスタンクに着脱可能に取付けられたヒータと、
前記ヒータに着脱式コネクタを有するケーブルを介して給電する電源供給部とを備え、
前記ケーブルは、前記コネクタが接続されている状態において、前記ヒータが前記ニスタンクから取外されるときのヒータの移動を前記発熱部が前記ニスタンク内に位置している状態で規制するものであることを特徴とする印刷機のニス転写装置。
【請求項２】
請求項１記載の印刷機のニス転写装置において、
前記電源供給部は、前記ニスタンクに設けられていることを特徴とする印刷機のニス転写装置。
【請求項３】
請求項１または請求項２記載の印刷機のニス転写装置において、
前記ヒータは、前記発熱部とは異なる部位に端子部を有し、
前記ケーブルは、前記端子部と前記電源供給部とを接続し、
前記ケーブルの長さは、前記端子部と前記電源供給部との間の距離より長く、かつ前記ヒータにおける前記ニスタンク内で上下方向に延びる部分の全長より短いことを特徴とする印刷機のニス転写装置。
【発明の詳細な説明】
【技術分野】
【０００１】
本発明は、被印刷媒体であるシートまたはウェブにニスを転写する印刷機のニス転写装置に関するものである。
【背景技術】
【０００２】
従来の印刷機としては、印刷が終了したシートまたはウェブにニスを塗布するためのニス転写装置を備えたものがある。ニスは、ニスタンクに貯留され、このニスタンクからポンプによって吸い出されて転写部に送られる。転写部で余ったニスは、ニスタンクに戻される。このニスは、粘度を調整するために、予め定めた温度に加熱されている。
【０００３】
ニスの加熱は、例えば特許文献１に記載されているように、ニスタンク内でヒータによって行われている。この特許文献１中には、ニスの温度と濃度とがニスタンクのヒータと攪拌装置とによって調整され、このニスがポンプで循環されていることが記載されている。
【０００４】
一般的に、ニスを加熱するためのヒータは、ニスタンク内のニスの温度が予め定めた温度になるように動作する構成が採られている。また、このヒータは、ニスが固着して汚れると故障の原因となるから、定期的にニスタンクから取り外され、清掃されている。ニスタンクは、ニスを貯留する貯留部と、この貯留部の上部開口を閉塞する蓋部とによって構成されている。この種のニスタンクにおいて、ヒータは、蓋部に着脱可能に取付けられることが多い。
【０００５】
従来のニス転写装置において、使用するニスの種類が変わった場合は、ニスタンクの蓋部を貯留部から取り外し、貯留部を種類の異なるニスで満たされた新しいものと交換する。なお、蓋部を貯留部から取り外す作業は、作業者の負担を軽減するために、重量物であるヒータを予め蓋部から取り外した状態で行うことが多い。
【先行技術文献】
【特許文献】
【０００６】
【特許文献１】特開平４−６９１３号公報
【発明の概要】
【発明が解決しようとする課題】
【０００７】
従来のニス転写装置では、ヒータがニスタンクの蓋部から取り外された後に過度に熱くなるおそれがあった。このようにヒータの温度が上昇する理由は、ヒータが給電可能な状態でニスタンクから外されるからである。ヒータがニスタンクから取り外されると、ニスタンク内のニスの温度が低下する。ヒータは、ニスタンク内のニスの温度が所定の温度となるように動作するものである。すなわち、ニスタンク内のニスの温度が徐々に低下するために、ヒータの温度が過度に上昇してしまう。このようにヒータの温度が過度に上昇すると、ヒータが破損するおそれがある。なお、このような不具合を解消するにあたっては、ニス転写装置の製造コストが高くなるようなことは避けなければならない。
【０００８】
本発明はこのような問題を解消するためになされたもので、コストダウンを図りながら、ニスタンクから外されたヒータの温度が上昇することを確実に防ぐことが可能な印刷機のニス転写装置を提供することを目的とする。
【課題を解決するための手段】
【０００９】
この目的を達成するために、本発明に係る印刷機のニス転写装置は、印刷機のニス転写部に供給されるニスを貯留するニスタンクと、通電されることにより発熱する発熱部を有し、この発熱部が前記ニスタンク内に挿入された状態で前記ニスタンクに着脱可能に取付けられたヒータと、前記ヒータに着脱式コネクタを有するケーブルを介して給電する電源供給部とを備え、前記ケーブルは、前記コネクタが接続されている状態において、前記ヒータが前記ニスタンクから取外されるときのヒータの移動を前記発熱部が前記ニスタンク内に位置している状態で規制するものである。
【００１０】
本発明は、前記印刷機のニス転写装置において、前記電源供給部は、前記ニスタンクに設けられていてもよい。
【００１１】
本発明は、前記印刷機のニス転写装置において、前記ヒータは、前記発熱部とは異なる部位に端子部を有し、前記ケーブルは、前記端子部と前記電源供給部とを接続し、前記ケーブルの長さは、前記端子部と前記電源供給部との間の距離より長く、かつ前記発熱部が前記ニスタンクから出るために必要な前記ヒータの移動距離より短くてもよい。
【発明の効果】
【００１２】
本発明によれば、ヒータをニスタンクから取り外すためには、コネクタを切り離さなければならない。このため、ヒータは、ニスタンクから外された状態では給電されることがないから、温度が上昇することもない。また、ヒータの温度上昇を防ぐにあたって既存の部品を使用して実現できるから、ヒータがニスタンクから取り外されたことをセンサによって検出する構成を採る場合と較べると、コストを低く抑えることができる。
したがって、本発明によれば、コストダウンを図りながら、ニスタンクから外されたヒータの温度が上昇することを確実に防ぐことが可能な印刷機のニス転写装置を提供することができる。
【図面の簡単な説明】
【００１３】
【図１】本発明に係る印刷機のニス転写装置の構成を説明するための配管図である。
【図２】ニスタンクの平面図である。
【図３】ニスタンクの断面図である。図３は、ヒータがニスタンクに取付けられている状態を示している。
【図４】ニスタンクの断面図である。図４は、ケーブルによってヒータの移動が規制されている状態を示している。
【発明を実施するための形態】
【００１４】
以下、本発明に係る印刷機のニス転写装置の一実施の形態を図１〜図４によって詳細に説明する。
図１に示すニス転写装置１は、印刷機（図示せず）のニス転写部２に用いられ、被印刷媒体であるシート３にニスを塗布するためのものである。ニス転写部２は、印刷機の圧胴４に対接した転写胴５と、この転写胴５に対接したアニロックスローラ６などによって構成されている。シート３は、印刷機の圧胴４によって搬送される。
【００１５】
アニロックスローラ６の外周面には、ニス７を保持するために多数の凹溝（図示せず）が形成されている。ニス７は、アニロックスローラ６の外周面に接続されたチャンバー８によって供給される。アニロックスローラ６に供給されたニス７は、アニロックスローラ６から転写胴５に転写され、さらに、圧胴４と転写胴５との間を通過するシート３に転写胴５から転写される。
【００１６】
チャンバー８は、アニロックスローラ６と協働してニス７を貯留する構造のもので、このチャンバー８の下端部に接続されたニス供給通路１１と、チャンバー８の上端部に接続されたニス戻り通路１２とを介してニスタンク１３に接続されている。ニスタンク１３は、ニス７を貯留するとともに所定の温度に加熱するためのものである。ニス供給通路１１の途中には、送りポンプ１４と、開閉弁１５，１６と、アキュムレータ１７とが設けられている。
【００１７】
ニス戻り通路１２は、余剰のニス７をニスタンク１３に戻すためのもので、チャンバー８の上端部から排出されたニス７を受ける液受け槽１８が途中に設けられている。液受け槽１８とニスタンク１３との間には、戻りポンプ１９と開閉弁２０とが設けられている。
ニスタンク１３内のニス７は、ニスタンク１３に設けられているヒータ２１によって予め定められた温度に加熱され、送りポンプ１４によってニス供給通路１１を通してチャンバー８に供給される。
【００１８】
ニスタンク１３内のニス７の温度は、ニスタンク１３に設けられている温度センサ２２によって検出され、この検出温度と予め定めた目標温度とが一致するように制御される。ニス７の温度を上昇させるときは、ヒータ２１が発熱する。
チャンバー８で使用されずにチャンバー８から排出されたニス７は、液受け槽１８に流下し、この液受け槽１８から戻りポンプ１９によって液受け槽１８より下流側の戻り通路１２を通してニスタンク１３に戻される。
【００１９】
ニスタンク１３は、ニス７が貯留される貯留部２３と、この貯留部２３の上端部に載置された蓋部２４とによって構成されている。貯留部２３は、上方に向けて開口する有底円筒状に形成されている。蓋部２４は、貯留部２３の上端部を挿入可能な開口部を有する有底円筒状に形成されている。この蓋部２４は、貯留部２３の上端部に被せられた状態で着脱可能に固定されている。
【００２０】
蓋部２４には、図２および図３に示すように、複数の機能部品が取り付けられている。これらの複数の機能部品とは、上述したニス供給通路１１の上流端を形成するニス供給管２５と、ニス戻り通路１２の下流端を形成するニス戻り管２６と、攪拌装置２７と、液面検出センサ２８と、中継電気ボックス２９と、ヒータ２１と、温度センサ２２などである。
【００２１】
攪拌装置２７は、貯留部２３内に挿入された板状の羽根２７ａを回転させ、貯留部２３内のニス７を攪拌するものである。
液面検出センサ２８は、貯留部２３内のニス７の液面の高さを検出するためのものである。
中継電気ボックス２９は、外部電源（図示せず）から供給された電力を蓋部２４上の機能部品に分配するためのものである。この実施の形態においては、この中継電気ボックス２９が本発明でいう「電源供給部」に相当する。
【００２２】
温度センサ２２は、貯留部２３内のニス７の温度を検出するためのもので、貯留部２３内で上下方向に延びる検出部２２ａを有している。この実施の形態による温度センサ２２は、検出部２２が蓋部２４を貫通して貯留部２３内に挿入される状態で中継電気ボックス２９の中に収容されている。
【００２３】
ヒータ２１は、通電されることにより発熱する発熱部３１を有しており、この発熱部３１がニスタンク１３内（貯留部２３内）に挿入された状態で蓋部２４に図示していないブラケットによって着脱可能に取付けられている。発熱部３１は、複数の棒状のヒータ本体３２によって構成されている。これらのヒータ本体３２は、図３に示すように、上下方向に延びる鉛直部３２ａと、この鉛直部３２ａの下端から水平方向に延びる水平部３２ｂとをそれぞれ有している。
【００２４】
鉛直部３２ａは、蓋部２４を上下方向に貫通して蓋部２４から上方に突出している。この鉛直部３２ａの上端部には、端子部３３が設けられている。端子部３３は、各ヒータ本体３２に電力を分配するためのもので、着脱式コネクタ３４を有するケーブル３５によって中継電気ボックス２９に接続されている。着脱式コネクタ３４は、中継電気ボックス２９に固定された固定部３４ａと、ケーブル３５の一端部に設けられた可動部３４ｂとによって構成されている。このコネクタ３４としては、たとえば可動部３４ｂにケーブル３５を通して設けられたロックナット（図示せず）を有するものを使用することができる。この種のコネクタ３４においては、ロックナットを固定部３４ａの雄ねじ部（図示せず）に螺着させることによって、ケーブル３５と中継電気ボックス２９とが機械的および電気的に接続される。
【００２５】
ヒータ２１は、図２に示すように、上方から見て蓋部２４の一側部であって、中継電気ボックス２９と隣り合う位置に配置されている。
中継電気ボックス２９は、図３に示すように、蓋部２４の上面に取付けられており、ヒータ２１の端子部３３より下に位置している。このため、ヒータ２１の端子部３３と中継電気ボックス２９とを接続するケーブル３５は、端子部３３と中継電気ボックス２９との間で上下方向に延びている。
【００２６】
ケーブル３５の長さは、端子部３３と中継電気ボックス２９との間の距離Ａ（図３参照）より長く、かつヒータ２１の鉛直部３２ａにおけるニスタンク１３内に挿入された部分（ヒータ２１におけるニスタンク１３内で上下方向に延びる部分）の全長Ｂより短い。図３に示す距離Ａは、上下方向の距離を示しているが、実際の距離Ａは、端子部３３と中継電気ボックス２９とを接続するように図３の紙面と直交する方向に傾斜した仮想線の長さに相当する。
【００２７】
このような長さのケーブル３５を使用すると、図４に示すように、ヒータ２１をニスタンク１３から取り外すときにヒータ２１の移動がケーブル３５によって規制される。ヒータ２１の移動が規制される位置は、発熱部３１の一部がニスタンク１３内に残存する位置である。すなわち、ケーブル３５は、コネクタ３４が接続されている状態において、ヒータ２１がニスタンク１３から取外されるときのヒータ２１の移動を、発熱部３１がニスタンク１３内に位置している状態で規制する。
【００２８】
ヒータ２１は、長期間にわたって使用することにより発熱部３１にニス７が固着し、発熱部３１が汚れてしまうものである。このように発熱部３１が汚れた場合は、ヒータ２１がニスタンク１３から取り外され、発熱部３１が清掃される。
ところで、ニス転写装置１に用いられるニス７の種類は多種多様であり、印刷内容に応じてニス７が選択されている。使用するニス７の種類が変わった場合は、ニスタンク１３の貯留部２３が種類の異なるニス７を有する別の貯留部２３に交換される。この交換作業は、蓋部２４を貯留部２３から外して行う。蓋部２４を貯留部２３から外す作業は、重量物であるヒータ２１を予め取り外し、蓋部２４を軽くした状態で行う。
【００２９】
ヒータ２１をニスタンク１３から取り外すにあたっては、着脱式コネクタ３４を分離させた状態でヒータ２１を蓋部２４に対して上方に引き上げて行う。このとき、着脱式コネクタ３４が接続状態であると、図４に示すように、ヒータ２１の移動がケーブル３５によって規制されるから、ヒータ２１をニスタンク１３から取り外すことはできない。言い換えれば、ヒータ２１をニスタンク１３から取り外すためには、着脱式コネクタ３４を切り離さなければならない。
【００３０】
このようにコネクタ３４が切り離されると、中継電気ボックス２９に電力が供給されていたとしても、ヒータ２１に給電されることはなくなる。このため、ヒータ２１は、ニスタンク１３から外された状態では給電されることがないから、温度が上昇することもない。
なお、ヒータ２１がニスタンク１３から取り外された状態でヒータ２１の温度が上昇することを防ぐためには、図示してはいないが、ヒータ２１の設置状態を監視する制御システムを用いることによって実現することができる。この制御システムは、ヒータ２１の着脱を検出するセンサと、ヒータ２１が取り外されたときにヒータ２１への給電を絶つ制御装置などを用いて構成することができる。
【００３１】
しかし、このような制御システムを備えると、ニス転写装置１の製造コストが高くなってしまう。この実施の形態においては、上述した制御システムを用いる場合と同等の効果を、既存の部品であるケーブルを用いることにより、構成および制御を簡素化しながら実現できる。
したがって、この実施の形態によれば、コストダウンを図りながら、ニスタンク１３から外されたヒータ２１の温度が上昇することを確実に防ぐことが可能な印刷機のニス転写装置を提供することができる。
【００３２】
この実施の形態による中継電気ボックス２９は、ニスタンク１３の蓋部２４に設けられている。このため、中継電気ボックス２９がヒータ２１の近傍に配置されるから、ヒータ２１の取り外し作業や取付け作業を行う作業場所の近傍でコネクタ３４の着脱を行うことができる。
したがって、ヒータ２１の取り外し作業や取付け作業を行うときにコネクタ３４の切断作業や接続作業を行う必要があるにもかかわらず、作業性がそれほど低くなることがないから、ヒータ２１の着脱作業を能率良く行うことが可能になる。
【００３３】
この実施の形態によるヒータ２１は、発熱部３１とは異なる部位である端部に端子部３３を有している。端子部３３と中継電気ボックス２９とを接続するケーブル３５の長さは、端子部３３と中継電気ボックス２９との間の距離より長く、かつヒータ２１におけるニスタンク１３内で上下方向に延びる部分の全長より短い。
このため、ケーブル３５は、コネクタ３４を切り離さなければヒータ２１をニスタンク１３から取り外すことができない長さに形成される。
したがって、この実施の形態によれば、コネクタ３４が接続されている状態で発熱部３１がニスタンク１３から出ることを規制するにあたって、信頼性が高くなる。
【００３４】
上述した実施の形態においては、中継電気ボックス２９が蓋部２４に設けられている例を示した。しかし、中継電気ボックス２９は、図３中に二点鎖線で示すように、ニスタンク１３の貯留部２３の側面（外周面）に設けることができるし、図示してはいないが、ニスタンク１３の近傍に位置する他の装置や、ニスタンク１３が設置される部屋の壁などに設けることも可能である。
【００３５】
また、着脱式コネクタ３４としては、マグネット（図示せず）の磁気吸着力によって可動部３４ｂが固定部３４ａに吸着されるものでもよい。このマグネット式のコネクタ３４を使用することにより、ヒータ２１をニスタンク１３から取り外すときにケーブル３５に作用する張力でコネクタ３４が分離されるから、コネクタ３４の着脱作業が容易になる。
【符号の説明】
【００３６】
１…ニス転写装置、２…ニス転写部、７…ニス、１３…ニスタンク、２１…ヒータ、２９…中継電気ボックス（電源供給部）、３１…発熱部、３３…端子部、３４…着脱式コネクタ、３５…ケーブル。
【図１】
2016055473.tif 000003
【図２】
2016055473.tif 000004
【図３】
2016055473.tif 000005
【図４】
2016055473.tif 000006